(57)【要約】【課題】  解錠暗証番号の解読や変更が難しい電気錠装置を提供する。【解決手段】  電気錠制御装置２に、解錠暗証番号及び設定暗証番号を記憶する番号記憶部１６と、解錠暗証番号及び前記設定暗証番号を設定するためのテンキー等を備えた本体操作部１２を設け、電気錠制御装置２を制御するＣＰＵ部１８は、本体操作部１２から新解錠暗証番号の入力の前に設定暗証番号の入力が成されない限り解錠暗証番号の変更を実施しない。【選択図】  図３
2010106635.tif 000002
【特許請求の範囲】
【請求項１】
少なくとも１つの電気錠と、テンキー等を備えて解錠操作を行うための外部操作部と、前記外部操作部から解錠暗証番号が入力されたら前記電気錠を解錠制御する電気錠制御装置とを備えた電気錠装置であって、
前記電気錠制御装置は、前記解錠暗証番号に加えて解錠暗証番号を設定及び／又は変更するための設定暗証番号を記憶する番号記憶部と、
前記解錠暗証番号及び前記設定暗証番号を設定及び／又は変更するためのテンキー等を備えた本体操作部と、
前記本体操作部から前記解錠暗証番号の変更操作が成されたら解錠暗証番号を変更する番号操作制御部とを有し、
前記番号操作制御部は、前記本体制御部から設定暗証番号の入力を受けて前記解錠暗証番号の変更を可能とすることを特徴とする電気錠装置。
【請求項２】
前記設定暗証番号は、変更対象の解錠暗証番号に英数字及び／又は記号を付加して構成されることを特徴とする請求項１記載の電気錠装置。
【請求項３】
同一の電気錠に対して複数の解錠暗証番号を設定でき、それぞれの解錠暗証番号に対し異なる前記設定暗証番号を有することを特徴とする請求項１又は２記載の電気錠装置。
【請求項４】
前記設定暗証番号は、前記解錠暗証番号に英数字及び／又は記号を付加して構成され、同一の電気錠の全ての設定暗証番号に対して同一の英数字及び／又は記号が付加されることを特徴とする請求項３記載の電気錠装置。
【請求項５】
同一の電気錠に対して複数の解錠暗証番号を設定でき、それぞれの解錠暗証番号に対し前記設定暗証番号が同一であることを特徴とする請求項１又は２記載の電気錠装置。
【請求項６】
解錠暗証番号は、英数字及び／又は記号の列で構成されることを特徴とする請求項１乃至５の何れかに記載の電気錠装置。
【発明の詳細な説明】
【技術分野】
【０００１】
本発明は、暗証番号の入力により解錠する電気錠装置に関し、特にドア等の扉に設けられた電気錠装置に関する。
【背景技術】
【０００２】
電気錠装置は、テンキー等を備えた操作部を操作して複数桁の数字や記号を入力し、入力された番号が予め設定された番号列と一致したらドア等が解錠されるよう構成されている。このような電気錠を使用することで、使用者は解錠のための錠を携帯する必要が無くなるし、錠をなくすような事態も防止できる。また、キーの変更も容易であり、操作部の所定のボタン操作で暗証番号を変更でき、暗証番号が流出してしまった場合でも容易に対処することができた。
例えば、特許文献１では、電気錠を組み込んだドアにテンキーを備えた入力設定部を設け、このテンキーを使用して所定の解錠暗証番号を入力することで解錠を可能とし、キーを鍵孔に差し込むことで暗証番号設定モードになり、この状態でテンキーを操作して番号を入力することで解錠暗証番号の変更ができた。
【０００３】
【特許文献１】特開平９−２６４０８６号公報
【発明の開示】
【発明が解決しようとする課題】
【０００４】
しかしながら、解錠暗証番号の設定や変更は、その電気錠の取扱説明書等で公開されてるため、管理者以外の利用者により解錠暗証番号の変更が可能であるし、第三者により解錠暗証番号が解読されたり新たに設定されて解錠されてしまう恐れがあった。
そのため、このような暗証番号の改ざんや解読を防止するため、電気錠解錠装置自体を鍵の掛けられる別箱内に収納する構成が考えられるが、電気錠にしたメリットが薄れるし、電気錠の状態が把握し難くなるため保安上好ましい構成ではない。
【０００５】
そこで、本発明はこのような問題点に鑑み、解錠暗証番号の解読や変更が難しい電気錠装置を提供することを目的とする。
【課題を解決するための手段】
【０００６】
上記課題を解決する為に、請求項１の発明は、少なくとも１つの電気錠と、テンキー等を備えて解錠操作を行うための外部操作部と、外部操作部から解錠暗証番号が入力されたら電気錠を解錠制御する電気錠制御装置とを備えた電気錠装置であって、電気錠制御装置は、解錠暗証番号に加えて解錠暗証番号を設定及び／又は変更するための設定暗証番号を記憶する番号記憶部と、解錠暗証番号及び設定暗証番号を設定及び／又は変更するためのテンキー等を備えた本体操作部と、本体操作部から解錠暗証番号の変更操作が成されたら解錠暗証番号を変更する番号操作制御部とを有し、番号操作制御部は、本体制御部から設定暗証番号の入力を受けて解錠暗証番号の変更を可能とすることを特徴とする。
この構成によれば、電気錠を解錠させる解錠暗証番号の設定等を行う際、解錠暗証番号とは別の設定暗証番号の入力を必要とする。そのため、解錠暗証番号のみを知っても解錠暗証番号の設定や変更はできないし、同一の型番の電気錠の取扱説明書を入手しても、解錠暗証番号の設定や変更はできない。
【０００７】
請求項２の発明は、請求項１に記載の発明において、設定暗証番号は、変更対象の解錠暗証番号に英数字及び／又は記号を付加して構成されることを特徴とする。
この構成によれば、設定暗証番号を解読し難くするために多数の番号列で構成しても、その中の多くの番号列は関連する解錠暗証番号と一致する番号であるため、管理者等の作業者は入力操作がし易い。
【０００８】
請求項３の発明は、請求項１又は２に記載の発明において、同一の電気錠に対して複数の解錠暗証番号を設定でき、それぞれの解錠暗証番号に対し異なる設定暗証番号を有することを特徴とする。
この構成によれば、電気錠を操作する利用者個々に解錠暗証番号を割り当てることができ、入退室者の管理が可能となり防犯や非常時対応に役立つ。
【０００９】
請求項４の発明は、請求項３に記載の発明において、設定暗証番号は、解錠暗証番号に英数字及び／又は記号を付加して構成され、同一の電気錠の全ての設定暗証番号に対して同一の英数字及び／又は記号が付加されることを特徴とする。
この構成によれば、設定暗証番号の多くの番号列は解錠暗証番号と同一であるため、１つの英数字及び／又は記号、又は複数桁の英数字及び／又は記号を覚えるだけで設定暗証番号を設定でき、管理者は番号を把握し易く、解錠暗証番号の設定がし易い。
【００１０】
請求項５の発明は、請求項１又は２に記載の発明において、同一の電気錠に対して複数の解錠暗証番号を設定でき、それぞれの解錠暗証番号に対し設定暗証番号が同一であることを特徴とする。
この構成によれば、同一の電気錠に対しては１つの設定暗証番号を覚えるだけで良く、管理者の負担を軽減できる。
【００１１】
請求項６の発明は、請求項１乃至５の何れかに記載の発明において、解錠暗証番号は、英数字及び／又は記号の列で構成されることを特徴とする。
この構成によれば、通常使用される数字のみの構成に比べ、同一桁数であってもより多くの番号列を設定でき、解読し難い暗証番号を設定できる。
【発明の効果】
【００１２】
本発明によれば、電気錠を解錠させる解錠暗証番号の設定等を行う際、解錠暗証番号とは別の設定暗証番号の入力を必要とする。そのため、解錠暗証番号のみを知っても解錠暗証番号の設定や変更はできないし、同一の型番の電気錠の取扱説明書を入手しても、解錠暗証番号の設定や変更はできない。
【発明を実施するための最良の形態】
【００１３】
以下、本発明を具体化した実施の形態を、図面に基づいて詳細に説明する。図１は本名発明に係る電気錠装置の構成図であり、ドアに組み込まれる電気錠１と、そのドアにより仕切られた部屋に設置されて電気錠１の解／施錠を制御する電気錠制御装置２と、ドア自体の外側、或いは部屋の外側となるドアの近くの壁面等に設置されて電気錠１を解錠操作するための外部操作部３とを備えている。そして、電気錠１は伝送線Ｌ１で電気錠制御装置２に接続され、外部操作部３は伝送線Ｌ２により電気錠制御装置２に接続されている。
【００１４】
図２は電気錠制御装置２のブロック図を示している。図２に示すように、電気錠制御装置２は、電気錠１を駆動する電気錠駆動部１０、電気錠１から施解錠の状態信号を入手するための電気錠インターフェース（電気錠ＩＦ）１１、電気錠装置の各種設定をするためのテンキー等を備えた本体操作部１２、設定完了等を通知するブザー１３及びブザー駆動部１４、電気錠１の施錠／解錠状態や設定状態を表示するためのＬＣＤから成る表示部１５、解錠暗証番号及び設定暗証番号を記憶する番号記憶部１６、外部操作部３と通信するための外部操作部インターフェース（外部操作部ＩＦ）１７、電気錠制御装置全体を制御するＣＰＵ部１８、各部に電源を供給する電源部２０等を備えている。
尚、解錠暗証番号は、電気錠１を解錠するための暗証番号であり、設定暗証番号は解錠暗証番号の設定、変更等を行う際に入力を必要とする暗証番号である。
【００１５】
このように構成された電気錠制御装置の動作は以下のようである。但し、外部操作部３から解錠暗証番号を入力すると、電気錠１が解錠する動作は従来と同様であるため説明を省略し、ここでは解錠暗証番号の設定（及び変更、消去、確認）の流れ、更に設定暗証番号の設定（及び変更、消去、確認）の流れを説明する。
【００１６】
最初に、解錠暗証番号の設定（及び変更、消去、確認）ついて、図３のフローを基に説明する。但し、本体操作部１２は、「０」〜「９」の数字ボタンから成るテンキーや、「＊」ボタン、「＃」ボタン等の記号ボタンが具備されており、設定／解錠暗証番号には０〜９の数字に加えて記号（以下、合わせて「番号」と称する。）が使用される。また、１つの電気錠１に対して３種類の解錠暗証番号が設定でき、設定暗証番号は４桁固定とする。
【００１７】
まず、「＊」キーを押下した後、引き続き１〜３の何れかの番号ｎを入力する。「＊」キーは設定モードに移行する記号であり、次の「ｎ」キーは３種類の解錠暗証番号の中の何番目かを指定する数字となっている。そして、更に「設定暗証番号」「使用する解錠暗証番号」を入力し、最後に終了キー「＃」を入力することで解錠暗証番号の設定は行われる。
【００１８】
具体的に、１番目の設定暗証番号として『３２３２』が番号記憶部１６に記憶され、解錠暗証番号として『１２３４５』を設定する場合は次のようである。本体操作部１２を操作して、上記条件に基づいて『＊１３２３２１２３４５＃』を入力する。ＣＰＵ部１８はこの入力を受けて、最上位桁が『＊』であれば解錠暗証番号の設定（及び変更、消去）操作であることを判断し（Ｓ１）、設定モードに入る。次に、２桁目の『１』の入力で３種類のうちの１番目の解錠暗証番号の設定であること判断する（Ｓ２）。
【００１９】
引き続き、『＊１』の後に配列された３桁目から６桁目が設定暗証番号かどうか判断する（Ｓ３）。ＣＰＵ部１８は、番号記憶部１６に記憶された番号と本体操作部１２で入力された番号『３２３２』を比較する。ここでは設定暗証番号であると判断して次に進み、『＃』が桁目にあるか判断する（Ｓ５）。
但し、設定暗証番号が番号記憶部１６に記憶されている番号と異なっていたら、表示部１５にエラーであることを表示し（Ｓ４）、ブザー１３を鳴動させて解錠暗証番号の設定モードは終了となる。この場合、現在番号記憶部１６に記憶されている解錠暗証番号が維持される。
【００２０】
そして、検出した『＃』が７桁目かどうか判断し（Ｓ７）、ここでは７桁目に無いため、７桁目から最終桁までが解錠暗証番号であると判断し（Ｓ９）、解錠暗証番号が設定登録される。登録に際して、表示部１５に解錠暗証番号が設定された旨を表示し、設定モードは終了（Ｓ１０）となる。
但し、最終桁に『＃』がない場合はエラー表示を行い（Ｓ６）、ブザー１３を鳴動させて設定モードは終了する。必要に応じて、管理者等の作業者は設定し直す事になる。
【００２１】
解錠暗証番号の変更操作は上記設定操作と同様であり、上記設定操作により旧解錠暗証番号が新解錠暗証番号で上書きされ、番号が更新される。
【００２２】
解錠暗証番号の消去は次のように実施される。最初の入力操作で『＊１３２３２＃』を入力する。この設定暗証番号のみの入力により、ＣＰＵ部１８は７桁目の判断ステップ（Ｓ７）において、『＃』が７桁目であるため１番目の解錠暗証番号は『００００』であると判断し、解錠暗証番号を『００００』へ変更する制御を実施する。こうして消去が実施され（Ｓ８）、解錠暗証番号消去が成される。
【００２３】
尚、１種類目の設定暗証番号が『３１３１』で、解錠暗証番号を９桁の数字列、例えば『５４３２１２３４５』に変更する場合は、『＊１３１３１５４３２１２３４５＃』を入力すれば良い。また、２番目の設定暗証番号が『１９１９』であって、２番目の解錠暗証番号を消去する場合は、『＊２１９１９＃』を入力すれば良い。
【００２４】
次に、解錠暗証番号の確認操作を説明する。「＃」キーを押下した後、引き続き１〜３の何れかの番号ｎを入力する。『＃』の記号は、確認モードに移行する記号であり、次の「ｎ」キーは３種類の解錠暗証番号の中の何番目かを指定する数字となる。そして、更に「設定暗証番号」「解錠暗証番号」と終了キー「＃」を入力して確認操作は実施される。
【００２５】
具体的に、例えば解錠暗証番号が『１２３４５６』である２番目の解錠暗証番号を確認する場合は次のようである。設定暗証番号が『９８７１』とすると、本体操作部１７から『＃２９８７１１２３４５６＃』が入力される。この入力を受けてＣＰＵ部１８は、最上位桁の『＃』から解錠暗証番号の確認操作であると判断し（Ｓ１）、次の『２』から３種類のうちの２番目の解錠暗証番号の確認であること判断する（Ｓ１１）。
【００２６】
引き続き、３桁目から６桁目の『９８７１』から設定暗証番号が正しいか判断し（Ｓ１２）、設定暗証番号が間違っていたら表示部１５にエラーメッセージを表示し、確認モードは終了となる（Ｓ１３）。そして、正しい番号であると判断したら、『＃』の位置から最終桁を判断する（Ｓ１４）。最終桁に「＃」が無い場合は、上記設定モードの場合と同様に、表示部１５に入力エラーであることを表示し、ブザー１３を鳴動させて確認モードを終了する（Ｓ１５）。
【００２７】
また、最終桁に『＃』があり、この『＃』が７桁目であれば（Ｓ１６でＹＥＳ）、解錠暗証番号は『００００』であると読み取り、番号記憶部１６に記憶されている解錠暗証番号が実際にそうであれば（設定されていなければ）、表示部１５に正しい旨のメッセージを表示し、確認モードは終了となる。しかし、何らかの番号が設定されていれば、『００００』ではないため、間違いである旨を表示して、ブザー１３を鳴動させて終了となる（Ｓ２０）。
【００２８】
ここで最終桁の『＃』は７桁目ではなく１３桁目であるため、７桁目から１２桁目までが解錠暗証番号であると判断し（Ｓ１７）、比較判断を行う。この入力された番号が番号記憶部１６に記憶されている番号と一致している場合は正しいと判断し、正しい旨のメッセージを表示部１５に表示し、確認モードは終了となる（Ｓ１８）。間違っている場合は、その旨を表示すると共にブザー１３を鳴動させ、確認モードを終了する（Ｓ２０）。
【００２９】
このように、電気錠を解錠させる解錠暗証番号の設定等を行う際、解錠暗証番号とは別の設定暗証番号の入力を必要とする。そのため、解錠暗証番号のみを知っても解錠暗証番号の設定や変更はできないし、同一の型番の電気錠の取扱説明書を入手しても、解錠暗証番号の設定や変更はできない。
また、同一の電気錠に対して複数の解錠暗証番号を設定できるので、電気錠を操作する利用者個々に解錠暗証番号を割り当てることができ、入退室者の管理が可能となり防犯や非常時の対応に役立つ。
【００３０】
次に、設定暗証番号の設定（及び変更、消去、確認）について、図４のフローを基に説明する。最初に「＊」キーを２回押下した後、引き続き１〜３の何れかの番号ｎを入力し、「旧設定暗証番号」「新設定暗証番号」、終了キー「＃」の順に入力して設定操作は行われる。『＊＊』の入力は設定暗証番号の設定モードに移行する記号であり、次の「ｎ」キーは３種類の解錠暗証番号の中の何番目かを指定する数字となる。
【００３１】
具体的に、１番目の解錠暗証番号の設定暗証番号を『１２３４』に設定する場合は以下のようである。但し、設定暗証番号は、初期状態では『００００』（消去状態）が設定されているものとする。
本体操作部１２を操作して上記条件に基づいて『＊＊１００００１２３４＊』を入力する。この入力を受けてＣＰＵ部１８は、上位２桁の『＊＊』の入力から設定暗証番号の設定（及び変更、消去）操作であると判断し（Ｓ１０１）、設定モードに入る。次に、３桁目の『１』から、３種類の解錠暗証番号のうちの１番目の解錠暗証番号の設定暗証番号であると判断する（Ｓ１０２）。
【００３２】
そして、引き続き以下の制御を行う。４桁目から７桁目の『００００』が旧設定暗証番号であるか判断し（Ｓ１０３）、上記解錠暗証番号の設定と同様に、記憶している番号（旧設定暗証番号）と比較し、旧設定暗証番号と異なる番号であれば表示部１５にエラーメッセージを表示し、ブザー１３を鳴動させて設定暗証番号を変更せずに終了する（Ｓ１０４）。
【００３３】
ここでは旧設定暗証番号が『００００』であるため正しいと判断し、次に最終桁であることを示す『＃』が１２桁にあるかどうか判断する（Ｓ１０５）。このとき１２桁目に『＃』が無ければエラーメッセージを表示して終了となる。１２桁目に『＃』がある場合は、８桁目から１１桁目までを新設定暗証番号と判断し、番号記憶部１６に記憶される（Ｓ１０７）。そして、設定されたことを示すメッセージが表示部１５に表示されて終了となる。
【００３４】
尚、設定暗証番号の変更操作は、上記『００００』の入力で旧設定暗証番号を入力し、上記設定操作を行うことで変更される。例として、３番目の設定暗証番号を『３１３１』から『８６４２』に変更する場合は、『＊＊３３１３１８６４２＊』が入力される。また、消去は新設定暗証番号を『００００』として再度上記設定操作により上書きを行うことで消去が実施される。
【００３５】
このように設定或いは変更された設定暗証番号の確認は、次の手順で行われる。「＃」キーを２回押下した後、１〜３の何れかの番号ｎを入力する。『＃＃』は設定暗証番号の確認モードに移行する記号であり、次の「ｎ」キーは３種類の解錠暗証番号の中の何番目かを指定する数字となる。そして、その後「設定暗証番号」「解錠暗証番号」と終了キー「＊」を入力して確認操作は実施される。
【００３６】
具体的に、１番目の設定暗証番号『４６８０』を確認する場合は次のようである。本体操作部１２から『＃＃１４６８０＊』を入力する。この入力操作によりＣＰＵ部１８は、上位２桁の『＃＃』から設定暗証番号の確認操作であると判断し（Ｓ１０１）、次の『１』から３種類の解錠暗証番号のうちの１番目の解錠暗証番号の設定暗証番号の確認であると判断する（Ｓ１０９）。
【００３７】
そして、４桁目から７桁目の『４６８０』を読み取り、記憶している設定暗証番号に一致するかどうか判断する（Ｓ１１１）。一致しなければエラーメッセージを表示部１５に表示し、ブザー１３が鳴動して確認モードは終了となる（Ｓ１１２）。一致したら、次に８桁目に『＊』があるか判断し（Ｓ１１３）、無ければ表示部１５にエラーメッセージを表示し、ブザー１３を鳴動させて終了する（Ｓ１１４）。あれば確認完了メッセージを表示して確認モードを終了する（Ｓ１１５）。
【００３８】
尚、消去されていることを確認する場合は、「設定暗証番号」を『００００』として終了キー「＊」を入力すれば良く、例えば３番目の設定暗証番号が消去（『００００』）されていることの確認する場合は、『＃＃３００００＊』を入力すれば良い。
【００３９】
このように、設定暗証番号自体も変更でき、全ての解錠暗証番号に対して同一の番号にしたり、定期的に変更することも可能であり、電気錠の設置環境に応じて操作し易くしたり、高いセキュリティを維持させるのに有効である。
【００４０】
尚、上記実施形態では、モード設定記号に「＊」ボタンや「＃」ボタンを使用し、入力終了記号に「＃」ボタンを使用しているが、これに限定するものではない。また、解錠暗証番号及び設定暗証番号を数字のみで構成しているが、記号を混ぜて構成しても良い。この場合、通常使用される数字のみで構成される暗証番号と同一桁数であってもより多くの番号列を設定でき、解読し難い暗証番号を設定できる。但し、入力終了記号に設定した符号（上記実施形態では『＃』）は何れの暗証番号にも使用できない。
また、解錠暗証番号毎に独立した設定暗証番号を用いたが、同一電気錠の全ての解錠暗証番号に対して同一の設定暗証番号としても良く、同一の電気錠に対しては１つの設定暗証番号を覚えるだけで良く、管理者の負担を軽減できる。
【００４１】
次に、設定暗証番号の他の設定形態を説明する。上記実施形態では設定暗証番号を任意の４桁の番号で設定しているが、関連している解錠暗証番号を使用し、この番号列に番号或いは番号列を付加して設定暗証番号を構成しても良い。この場合、解錠暗証番号の設定（及び変更、消去）は次のように行われる。
【００４２】
まず「＊」キーを押下した後、引き続き１〜３の何れかの番号ｎを入力し、「設定暗証番号」「使用する解錠暗証番号」と終了キー「＃」を入力することは上記実施形態の設定の流れと同様である。そして、２番目の設定暗証番号として付加する番号列を『３５７９』とし、変更前解錠暗証番号が『１２３４５』であるとすると、設定暗証番号は『３５７９１２３４５』となる。そして、新解錠暗証番号を『５４３２１』とすると、解錠暗証番号を設定する際に入力される番号列は『＊２３５７９１２３４５５４３２１＃』となる。
【００４３】
この場合の解錠暗証番号の確認は簡単に実施できる。設定暗証番号内に解錠暗証番号が含まれているため、設定暗証番号の確認となる。例えば、３番目の設定暗証番号の付加番号列が『２５３６』であって、３番目の解錠暗証番号が『１３６８０』の場合、設定暗証番号は『２５３６１３６８０』となる。これを確認する場合、『＃３２５３６１３６８０＃』を入力すれば良い。
そして、この付加番号列の設定（変更、消去）は、上記設定暗証番号の設定（変更、消去）の流れと同様に実施できる。また、設定暗証番号の確認も同様に上記設定暗証番号の確認の流れと同様に実施できる。
【００４４】
このように、設定暗証番号を解錠暗証番号を加えた番号列で構成すれば、設定暗証番号を解読し難い多数の番号列で構成しても、その中の多くの番号列は関連する解錠暗証番号であるため、管理者は入力操作がし易い。
また、このように設定暗証番号を解錠暗証番号を含む構成とすることで、付加番号列は１つの電気錠に対して設定された全ての解錠暗証番号に対して同一の番号列であっても良く、管理者の負担を更に軽減できるし、高いセキュリティ性を維持できる。
【００４５】
尚、上記実施形態においては、１つの電気錠に対して暗証番号を３種類設定可能としたが、これに限るものではなく、１つだけでも良いし更に多く設けても良い。また、複数の解錠暗証番号をグループ分けして、グループ毎に設定暗証番号を設定しても良い。
更に、設定暗証番号及び付加番号列を固定４桁として扱ったが、固定桁に限るものでは無く、設定暗証番号の桁数も可変桁としても良い。
また、１つの電気錠を備えた電気錠装置について説明したが、複数の電気錠を１つの電気錠制御装置２で制御することも容易に実施できる。
【図面の簡単な説明】
【００４６】
【図１】本発明に係る電気錠装置の一例を示す構成図である。
【図２】電気錠制御装置の回路ブロック図である。
【図３】解錠暗証番号の設定、変更、消去、確認の流れを示すフローチャートである。
【図４】設定暗証番号の設定、変更、消去、確認の流れを示すフローチャートである。
【符号の説明】
【００４７】
１・・電気錠、２・・電気錠制御装置、３・・外部操作部、１２・・本体操作部、１５・・表示部、１６・・番号記憶部、１８・・ＣＰＵ部（番号操作制御部）。
【図１】
2010106635.tif 000003
【図２】
2010106635.tif 000004
【図３】
2010106635.tif 000005
【図４】
2010106635.tif 000006